(57)【要約】【課題】パネル貼り付け作業が建物外部へ作業用足場を組み行なわれたため足場取付の取付け取外し作業に余分な時間と費用がかかり、天候に左右される。また、パネルの突合せ目やねじ込み穴の隙間から雨水が内部へ沁み込むのを防止する為、それらの部分全てにシール材料による封止作業が必要である。また、ネジ等を非常に多く使用し、更に使用するネジ等は、防錆機能を有し高価である。【解決手段】建物の内側からパネル貼り付け作業を可能とするため、初めに建物フレームへパネルの端部を固定し、パネルの他方端部と隣接するパネルとを緩く嵌合した後、回転緊張部材へ係合している係合取付け部材を傾斜位置から所定位置まで調整するだけで回転緊張部材が、並置する金属パネルを防水かつ緊張状態に貼り付ける。【選択図】    図１３
2004162464.tif 000002
【特許請求の範囲】
【請求項１】
外装用金属パネル組立体と、固着手段と、から成る側壁組立体を複数個建築物フレームへ取付けて成る金属フラット外装パネルであって、
外装用金属パネル組立体が、複数の金属パネルから構成されており、
固着手段が、回転組み付け手段と、係合取付け部材と、から構成されており、かつ該回転組み付け手段が複数の回転緊張部材から形成されており、
各金属パネルは、縦方向に長い金属面板により構成されており、該面板の１側縁には折込部Ａがまたそこから所定距離（ｂ）だけ離れた他側縁には折込部Ｂが形成され、一つの金属パネルの折込部Ａと隣接した金属パネルの折込部Ｂとが結合できる構成をなしており、
各回転緊張部材は、距離（ｂ）を有する最長縁部とそれより短い距離を有する側縁部から成り、更に、複数の爪部を有する折り曲げ部を有しており、
係合取付け部材がラチェット機能を備えた間隙を備えており、この間隙へ各回転緊張部材の爪部が摺動自在に嵌合可能となっており、
回転緊張部材を金属パネル上へ配置した後、固着手段を操作することにより、回転緊張部材が金属パネルの両側折込部を互いに両側へ向かって拡張し金属パネルの側縁部を隣接する金属パネルの方へ圧接緊張させることを特徴とする金属フラット外装パネル。
【請求項２】
外装用金属パネル組立体と、固着手段と、から成る側壁組立体を複数個建築物フレームへ取付けて成る金属フラット外装パネルであって、
外装用金属パネル組立体１８が、複数の金属パネルら構成されており、
固着手段が、回転組み付け手段と、係合取付け部材と、から構成されており、かつ該回転組み付け手段２６が複数の回転緊張部材から形成されており、
各金属パネルは、縦方向に長い金属面板により構成されており、該面板の１側縁には折込部Ａがまたそこから所定距離（ｂ）だけ離れた他側縁には折込部Ｂが形成され、他側縁の折込部Ｂはその先端部に溝部５１を有しており、
各回転緊張部材は、距離（ｂ）を有する最長縁部とそれより短い距離を有する側縁部から成り、更に、複数の爪部を有する折り曲げ部を有しており、
係合取付け部材がラチェット機能を備えた間隙を備えており、この間隙へ各回転緊張部材の爪部が摺動自在に嵌合可能となっており、
回転緊張部材を金属パネル上へ配置した後、固着手段を操作することにより、回転緊張部材が金属パネルの両側折込部を互いに両側へ向かって拡張し金属パネルの側縁部を隣接する金属パネルの方へ圧接緊張させることを特徴とする金属フラット外装パネル。
【請求項３】
請求項２において、前記金属パネルの折込部、が、折曲部と、そこから半円形状に内側へ向かって加工された半円形部と、更にそこから折曲部と同一面上に伸びている末端部と、を有しており、さらに一方の折込部は前記末端部から外側に向かってほぼ直角に折り曲げられている外行部と、該外行部の末端部分から末端部と平行する方向へ向かって折り返されている折返部と、を有し、この末端部と、外行部と、折返部と、が溝部を提供しており、
外装用金属パネル組立体を形成するとき、一つの金属パネルの末端部がこのパネルに隣接する他の金属パネルの溝部へ嵌合し、かつ半円形部にはシール部材が配置されることを特徴とする請求項１に記載の金属フラット外装パネル。
【請求項４】
回転緊張部材は、金属パネルの内表面上に配置される面であって僅かに先太形状に形成されている平坦面と、該平坦部の周辺部からほぼ直角に立ち上がっている壁部と、当該壁部の一部から更に伸びている延長壁部と、該延長壁部の先端部から直角に折り曲げられて前記平坦部と平行に伸びている折り曲げ部と、該折り曲げ部に形成されている爪部と、を有しており、
係合取付け部材は、上下に伸びている垂直壁面と、該垂直壁面の一方縁部からほぼ直角に折り曲げられている第１折り曲げ部と、垂直壁面の他方縁部からは前記第１折り曲げ部と反対の方向に向かってほぼ直角に折り曲げられている第２折り曲げ部と、該第２折り曲げ部の端側縁から０度反対方向に向かって第２折り曲げ部上を折り戻されている第３折り曲げ部と、該第３折り曲げ部の端側縁からほぼ垂直方向に僅かに伸びている伸長部と、該伸長部の端側縁から前記第２折り曲げ部と同様の方向へ向かって前記第３折り曲げ部を覆うように伸びている第４折り曲げ部と、該第４折り曲げ部の端側縁から０度反対方向に向かってかつ第３折り曲げ部に面する方向にて折り返されている第５折り曲げ部であって第４折り曲げ部の折り曲げ量より少ない第５折り曲げ部と、を有し、第３折り曲げ部と第５折り曲げ部との間には、間隙が画定されており、更に垂直壁面の一方の端部には第１側壁面を、他方の端部には第２側壁面を有し、また、間隙には、回転緊張部材の折り曲げ部が摺動自在であるが離脱不能な状態で嵌入されている、
ことを特徴とする請求項２又は３に記載の金属フラット外装パネル。
【請求項５】
金属パネルの溝部を有していない折込部の末端部を、隣接する金属パネルの溝部を有する折込部の当該溝部内に配置し、かつ両折込部、の半円形部が形成する空間内へ伸縮性を有するシール部材を配置し、予め金属パネルを所定の緩い嵌め合い状態に組合わせること、
係合取付け部材の間隙へ回転緊張部材の折り曲げ部を、該折り曲げ部の爪部が第５折り曲げ部の縁部へ噛み合うまで嵌め込むこと、
各回転緊張部材の最長縁部が、金属パネルの長手方向軸線方向に対して斜めに交差する方向にてほぼ一直線をなすように、かつ個々の部材がそれぞれのパネルへ１個ずつ位置付けられるように係合取付け部材へ対する回転緊張部材の位置を摺動調整し、回転取付け手段と係合取付け部材とを、外装用金属パネル組立体の内表面上へ配置すること、
係合取付け部材が金属パネル組立体の長手方向に対して実質的に直交する位置に至るまで係合取付け部材の位置を調整すること、
の手順より成る金属フラット外装パネルの組立方法。
【請求項６】
側壁組立体を組み立てる前に建築物の竪柱を建設すること、
この竪柱へ建築物フレームを取付けること、
当該フレームへ金属パネル組立体の端部パネルを構成する金属パネルを固定すること、
金属パネルの溝部を有していない折込部の末端部を、隣接する金属パネルの溝部を有する折込部の当該溝部内に配置し、かつ両折込部、の半円形部が形成する空間内へ伸縮性を有するシール部材を配置し、予め金属パネルを所定の緩い嵌め合い状態に組合わせること、
係合取付け部材の間隙へ回転緊張部材の折り曲げ部を、該折り曲げ部の爪部が第５折り曲げ部の縁部へ噛み合うまで嵌め込むこと、
各回転緊張部材の最長縁部が、金属パネルの長手方向軸線方向に対して斜めに交差する方向にてほぼ一直線をなすように、かつ個々の部材がそれぞれのパネルへ１個ずつ位置付けられるように係合取付け部材へ対する回転緊張部材の位置を摺動調整し、回転取付け手段と係合取付け部材とを、外装用金属パネル組立体の内表面上へ配置すること、
係合取付け部材が金属パネル組立体の長手方向に対して実質的に直交する位置に至るまで係合取付け部材の位置を調整すること、
係合取付け部材の側壁面、を建築物フレームへ対して固着すること、
の手順より成る金属フラット外装パネルを建物へ貼り付ける方法。
【発明の詳細な説明】
【０００１】
【発明の属する技術分野】
本件発明は、金属製の平坦な外装用のパネル即ち外装用のフラットパネルに関し、特に、立体駐車場、各種の自動倉庫、流通倉庫、貨物用倉庫、格納庫その他の内部立体空間を有効に利用するための中層建築物の外装側壁として使用するのに最適な金属製のパネルであって、当該建築物の内部立体空間から取付け作業が容易になし得るように構成した金属フラット外装パネルに関する。
【０００２】
【従来の技術】
これまで、上記のような中層建築物の側壁は、建物の骨組みを構成するフレームを構築後、建物の外側へ足場を作り、この足場に登って該枠体へ対して個々の外装パネルを当該建物の外側からネジ等の固着手段を使用して取り付けるという作業が行なわれていた。
【０００３】
更に、これまでの外装パネル取付けに際しては、建物外部から外装パネル同士を互いに接近して突合せ配置し、両者間に防水材料を施しながら固定したり、または外装パネルの側縁部をある寸法に渡り互いに重ね合わせ固定したり、更には、使用するネジ等の固定手段の取付け穴から建物の内部へ雨水等が入り込まないように配慮しながら、建築物外部から内側フレームへ対して固定手段をねじ込んで固定するというような方法が採用されていた。
【０００４】
【発明が解決しようとする課題】
このような作業では、パネルを貼り付けるための作業用足場を組む作業及びパネル貼り付け作業後に足場を取外す作業が、パネル貼り付け作業料金を高価なものとするという課題があった。
【０００５】
更に、これまでの外装パネルでは、建物外部から内側のフレームへ対して止め具をねじ込んで固定する方法であるため、パネル貼り付け作業が天候に左右され予定通りに進行しないという課題があった。
【０００６】
また、パネルの突合せ目や張り合わせ目更には固定手段のねじ込み穴の隙間から雨水が内部へ沁み込むのを防止する為、張り付け作業後に再度それらの突合せ目、張り合わせ目、更には固定手段のねじ込み穴等をシール材料によって封止する必要があるという課題もあった。
【０００７】
その上、ネジ等の固定手段を非常に多く使用しなければならず、その上、使用する固定手段は、防錆機能を有する高価な素材からなるものを使用しなければ成らず、結果的に作業の煩雑さと高価格を招くという課題もあった。
【０００８】
【課題を解決するための手段】
本件発明は上記課題を解決するため、外装用金属パネル組立体と、固着手段と、から成る側壁組立体を複数個建築物フレームへ取付けて成る金属フラット外装パネルを提供する。ここで外装用金属パネル組立体は、複数の金属パネルから構成されており、固着手段が、回転組み付け手段と、係合取付け部材と、から構成されており、かつ該回転組み付け手段が複数の回転緊張部材から形成されており、各金属パネルは、縦方向に長い金属面板により構成されており、該面板の１側縁には折込部がまたそこから所定距離（ｂ）だけ離れた他側縁には折込部が形成され、他側縁の折込部はその先端部に溝部を有しており、各回転緊張部材は、距離（ｂ）を有する最長縁部とそれより短い距離を有する側縁部から成り、更に、複数の爪部を有する折り曲げ部を有しており、係合取付け部材がラチェット機能を備えた間隙を備えており、この間隙へ各回転緊張部材の爪部が摺動自在に嵌合可能となっており、回転緊張部材を金属パネル上へ配置した後、固着手段を操作することにより、回転緊張部材が金属パネルの両側折込部を互いに両側へ向かって拡張し金属パネルの側縁部を隣接する金属パネルの方へ圧接緊張させる。
【０００９】
【発明の実施の形態】
図１は、立体駐車場、各種の自動倉庫、流通倉庫、貨物用倉庫、格納庫その他の内部立体空間を有効に利用するための中層建築物のための、本発明かかる外装用フラット金属パネルから成る側壁組立体１０を組立前の状態にて示している図である。この側壁構造体１０は、複数（図示の例では３枚）の金属パネル１２，１４，１６等から構成されている外装用金属パネル組立体１８を有している。更にこの側壁構造体１０は、各金属パネル１２，１４，１６等をネジ等の固定手段を使用することなく互いに押圧嵌合することにより封止状態に組み立てることが出来る複数（図示の例では３個）の回転緊張部材２０，２２，２４等から成る回転組付け手段２６と、回転組み付け手段２６の動作を規制している細長部材であって外装用金属パネル組立体１８を所定の建築物フレーム３０（図１６参照）へ固着する機能を有している係合取付け部材２８と、から成る固着手段３２を有している。これらの部材は何れも鋼板材により構成されている。
【００１０】
図１においては、外装用金属パネル組立体１８は、３枚の金属パネル１２，１４，１６等により構成されているが、この枚数は建築物フレーム３０の横方向寸法により特定されるもので、当該フレーム３０の寸法によりこの金属パネルの数はこれより少なくても、または多くても良いことは当業者に明らかである。以下においては図示の例に沿って金属パネルが３枚の場合について説明する。しかしてこれらの金属パネル１２，１４，１６等は何れも実質的に同一の形状を有しているので、以下においては、図２〜図５を参照しながら金属パネル１２について述べる。
【００１１】
金属パネル１２は、縦方向に長い金属面板４０により構成されている。該面板４０の１方（図２において右側）の側縁には、図１〜図３に示すように、パネル１２の内側（図１において上面側、図２において紙面の裏側、図３において下側）に向かってほぼ直角に折り込まれた折込部Ａ４１が形成されている。この折込部Ａ４１は、面板４０から寸法ａだけ折り曲げられた折曲部４２と、そこから半円形状に内側へ向かって加工された半円形部４３と、更にそこから折曲部４２と同一面上に伸びている末端部４４と、により構成されている。同様に、該面板４０の他方（図２及び図３において左側）の側縁には、図１〜図３に示すように、同様にパネル１２の内側に向かってほぼ直角に折り込まれた折込部Ｂ４５が形成されている。この折込部Ｂ４５は、面板４０から寸法ａだけ折り曲げられた折曲部４６と、そこから半円形状に内側へ向かって加工された半円形部４７と、更にそこから折曲部４６と同一面上に伸びている末端部４８と、該末端部４８から外側に向かってほぼ直角に折り曲げられている外行部４９と、該外行部４９の末端部分から面板４０の方へ向かってほぼ直角に折り返されている折返部５０と、により構成されており、末端部４８と外行部４９と折返部５０とは、角溝形に形成された溝部５１を提供している。ここで、折込部Ａ４１の折曲部４２と、折込部Ｂ４５の折曲部４６と、の間の内寸法は、図３に示すように、「ｂ」である。
【００１２】
これらの金属パネル１２，１４，１６等の各金属面板４０の特に外表面（図１においては紙面の裏側面、図２においては紙面の表側面、図３においては図面の上側）には、直接雨水、雪、雹等が当たるので、所望により所定の防錆処理及び表面強化処理等が施されることが望ましい。一方、金属面板２５の内表面（図１においては紙面の表側面、図２においては紙面の裏側面、図３においては図面の下側）には、直接雨水、雪、雹等が当たらないが、収納物品が衝接することがあるので、同様に所望により所定の表面強化処理等が施され、また、望ましくは防錆処理が施される。折込部Ａ及びＢの構造は、他の構造であっても良い。例えば、折込部Ａ及びＢに係止片を設けて２つの金属パネルを係止しても良い。
【００１３】
外装用金属パネル組立体１８を形成する場合には、初めに図３に示すような金属パネル１２，１４，１６等を複数枚用意し、図１に示すように、外表面を外側に、内表面を内側に面するように配置する。このとき、金属パネルの溝部を持たない折込部Ａ４１と、溝部を有する折込部Ｂ４５とが互いに隣接する様に各金属パネル１２，１４，１６等を並置する。次に、図４に示すように、金属パネル１２の溝部を持たない折込部Ａ４１の末端部４４を隣接する金属パネル１４の溝部を有する付きの折込部Ｂ４５の溝部５１内へ配置する。この状態で、各折込部Ａ４１、折込部Ｂ４５の半円形部４３、４７が形成するほぼ円形の空間内へ棒状の変形自在なシール部材５２を配置する。このシール部材５２は好ましくは円形断面を有しているが、必ずしも円形断面を有している必要はなく、矩形断面でもそれ以外の断面形状を有していても良く、通常は弾性ゴム等から成る。
【００１４】
次に、固着手段３２について述べる。固着手段３２は、図１に示す例では、３個の回転緊張部材２０，２２，２４等から成る回転組付け手段２６と、これら３個の回転緊張部材へ同時に係合している係合取付け部材２８と、により構成されている。上述のように、回転緊張部材の数は３個に限定されるものではないが、通常は、金属パネルの数に対応している。これらの回転緊張部材は、前記外装用金属パネル組立体１８を形成している金属パネル１２，１４，１６等同士を互いに回転しながら緊張状態に組立てる機能を有するものであり、一方、係合取付け部材２８は、これらの回転緊張部材２０，２２，２４等を同時に回転起動及び摺動起動させ、その後、当該金属パネル組立体１８を、回転緊張部材と一緒に建築物フレームである周辺枠体へ取付け固着する働きをするものである。
【００１５】
回転緊張部材２０，２２，２４等は夫々実質的に同一の形状を有しているので、以下においては図６〜図９を参照しながら、部材２０について述べる。回転緊張部材２０は、金属パネル１２の内表面上に配置される面であって僅かに先太形状に形成されている平坦面５５と、該平坦部５５の周辺部からほぼ直角に（前記金属パネル１２の各折曲部４２、４６の立ち上げ寸法ａに等しい高さだけ）立ち上がっている壁部５６と、当該壁部５６の一部から更に伸びている延長壁部５７と、該延長壁部５７の先端部から直角に折り曲げられて前記平坦部５５と平行に伸びている折り曲げ部５８と、該折り曲げ部５８内にて延長壁部５７の方を下向きに切り落とされるように形成されている複数の爪部５９と、を有している。ここで、図６に示すように、該回転緊張部材２０の最長縁部の長さは「ｂ」である。
【００１６】
更に、係合取付け部材２８は、概ね図１０及び図１１に示すような形状を有している。即ち、上下に伸びている垂直壁面６５と、該垂直壁面６５の一方縁部からほぼ直角に折り曲げられている第１折り曲げ部６６と、この第１折り曲げ部６６の端側縁から前記垂直壁面６５と平行をなす方向に僅かに伸びている折り返し部６７と、を有している。更に、垂直壁面６５の他方縁部からは前記第１折り曲げ部６６と反対の方向に向かってほぼ直角に折り曲げられている第２折り曲げ部６８と、該第２折り曲げ部６８の端側縁から１８０度反対方向に向かって第２折り曲げ部６８上を折り戻されている第３折り曲げ部６９であって第２折り曲げ部６８より折り曲げ量が少ない第３折り曲げ部６９と、該第３折り曲げ部６９の端側縁からほぼ垂直方向に僅かに伸びている伸長部７０と、該伸長部７０の端側縁から前記第２折り曲げ部６８と同様の方向へ向かって前記第３折り曲げ部６９を覆うように該第３折り曲げ部とほぼ同一距離だけ伸びている第４折り曲げ部７１と、該第４折り曲げ部７１の端側縁から１８０度反対方向に向かって第３折り曲げ部６９に面する方向にて折り返されている第５折り曲げ部であって第４折り曲げ部の折り曲げ量より少ない第５折り曲げ部７２と、を有している。ここで、第３折り曲げ部６９と第５折り曲げ部７２との間には、僅かな間隙７３が画定され、更に第５折り曲げ部７２はラチェット状の抜け止め機能を提供している。
【００１７】
この係合取付け部材２８は、図１に示すように、前記回転緊張部材２０の長さのほぼ３倍より僅かに短い長さを有している。また図１０に示すように垂直壁面６５の一方の端部には第１折り曲げ部６６と同様の方向に伸びている第１側壁面７４を、更に垂直壁面６５の他方の端部には第２折り曲げ部６８と同様の方向に伸びている第２側壁面７５を有している。これらの側壁面には本件側壁組立体１０を建築物フレーム３０へ固着するためのネジ等を受け入れるネジ穴（図示なし）が形成される。
【００１８】
また、第３折り曲げ部６９と第５折り曲げ部７２との間に画定されている間隙７３には、図１２に示すように、前記回転緊張部材２０の折り曲げ部５８が受け入れられるようになっている。ここで、この間隙７３へ折り曲げ部５８を完全に押し込むと、該折り曲げ部５８に形成されている爪部５９が第５折り曲げ部７２の端側縁へ掛け止めされ、摺動は出来ても、そこから離脱することは出来なくなる。
【００１９】
次に固着手段３２の使用方法について述べる。初めに金属パネル１２の溝部を有していない折込部Ａ４１の末端部４４を、隣接する金属パネル１４の溝部５１を有する折込部Ｂ４５の当該溝部５１内に配置し、かつ両折込部Ａ４１、折込部Ｂ４５の半円形部４３、４７が形成する空間内へ伸縮性を有するシール部材５２を配置し、図１又は図４に示すように、予め金属パネル１２，１４，１６等を所定の緩い嵌め合い状態に組合わせる。その後、係合取付け部材２８の間隙７３へ回転緊張部材２０，２２，２４等の折り曲げ部５８を、図１２に示すように、該折り曲げ部５８の爪部５９が第５折り曲げ部７２の縁部へ噛み合うまで嵌め込む。これにより各回転緊張部材２０，２２，２４等は係合取付け部材２８から抜け出すことは出来ないが、当該係合取付け部材２８に対し長手方向への摺動は可能である。その後、図１に示すように、各回転緊張部材２０，２２，２４等が所定の間隔を確保するようにこれらの部材を間隙７３内にて摺動調整する。このとき、３個の回転緊張部材２０，２２，２４等の最長縁部が、図１３及び図１４に示すように、金属パネル１２，１４，１６等の長手方向軸線方向に対して斜めに交差する方向にてほぼ一直線をなすようにして、個々の部材２０，２２，２４等がそれぞれのパネル１２，１４，１６等へ１個ずつ配置するように調整するのである。
【００２０】
そこで回転取付け手段２６と係合取付け部材２８とから成る固着手段３２を、図１４に示すように、外装用金属パネル組立体１８の内表面上へ配置する。この時、回転取付け手段２６を構成している少なくとも一つの回転緊張部材の角部６０が、図１５に示すように、金属パネルの折込部Ａ４１又は折込部Ｂ４５の折曲部４２又は４６の内壁面へ接するようにする。その後、係合取付け部材２８を、例えば図１２、図１３又は図１４において点Ｐｃで示す場所付近を木槌で軽く叩く。これにより係合取付け部材２８と一緒に回転組付け手段２６が矢印８０の方向に回転する。このため、図１５に示すように、それまで折込部Ａ４１、折込部Ｂ４５間において間隔「ｃ」をおいて各金属パネル（例えば１２）の内表面上へ緩く配置されていた回転緊張部材（例えば２０）が角部６０の周りに回転する。係合取付け部材２８が金属パネル組立体１８の長手方向に直交する位置（図１６参照）に至るまで回転作業を続ける。この時、回転緊張部材（例えば２０）の長さ「ｂ」を有する最長縁部が金属パネル（例えば１２）の折曲部４２又は４６の内壁面（内壁面間距離は図３に示すように「ｂ」である）を外側へ向けて強圧する。同様に別の回転緊張部材（例えば２２、２４）は回転すると同時に間隙７３内を適性位置まで、例えば双方向矢印８１（図１３）で示す方向へ適宜摺動しながら、その位置（即ち、係合取付け部材２８が金属パネル１２，１４，１６等の折込部Ａ４１、折込部Ｂ４５へ対して直交する位置）で同じく金属パネルの折曲部４２又は４６の内壁面を外側へ向けて強圧する。このため、各金属パネル１２，１４，１６等は、図５に示すように拡張され、端部側縁が互い接近し緊張しあって、各金属パネルの折曲部４２又は４６が互いに液密状態に接触する。こうして密封可能な側壁組立体１０が形成される。
【００２１】
なお、この回転作業において、回転緊張部材（例えば２０）の角部６０は、高さ寸法「ａ」を有しており、この部分が同じく高さ「ａ」を有する金属パネル（例えば１２）の折曲部４２又は４６の内壁面へ弾入していることにより、係合取付け部材２８を叩いても角部６０が金属パネル（１２）の長手方向に沿って滑ることが阻止され、迅速に回転することにより、所望の回転緊張作業が容易に達成出来るのである。
【００２２】
このとき、必要なら、図１４において、点Ｐｃを叩いた後、次いで回転緊張部材２０，２２，２４等の点Ｐ１、Ｐ２、Ｐ３を順次叩くことも良い。これにより各部材の変形を阻止出来るからである。
【００２３】
このような側壁組立体の形成は、以下の手順による。初めに建築物の竪柱を位置付け、その竪柱の所定位置へ建築物フレーム３０（図１６）を取付ける。次いで、当該フレーム３０へ対して金属パネル組立体１８の端部パネルを構成する金属パネル（例えば１２）をネジ等により固定する。この端部パネル（１２）の側縁部へ次の金属パネル（例えば１４）を上述の方法によって緩く嵌合する。同様にして更に隣接する金属パネル（例えば１６）を緩く嵌合する。必要なシール部材５２を各嵌合部分へ配置し、図４に示すような配置状態を得る。その後、固着手段３２を位置付け、木槌での叩き込み作業を行い、各パネルを緊張状態に位置付けるのである。その後、端部パネル（例えば１６）を建築物フレーム３０へ固着する。更に、係合取付け部材２８（図１０参照）の第１側壁面７４及び第２側壁面７５をフレーム３０へ対してネジ等の固定手段により固定する（図１６参照）。ここで、固着手段３２を使用する際には、予め係合取付け手段２８へ所定数の回転緊張部材２０，２２，２４等を嵌合し、各回転緊張部材の位置調整をしておくことも出来るし、また、垂直方向に位置付けた金属パネル組立体１８へ対して、初めに、図１３に示すように、回転緊張部材２０，２２，２４等を配置した後、それらの部材へ対して係合取付け部材２８を弾入することにより固着手段３２を構成することも出来る。更に、両端部の金属パネル（例えば１２と１６）の側方端部を予めフレーム３０へ固定した後で、中間の金属パネル（１４）を両端部金属パネル（１２、１６）へ緩く嵌合することも出来る。これらは何れも現場の作業状態により適宜選択される。
【００２４】
勿論、この金属パネル組立体１０を予め床面で組立て、その後、建築物フレーム３０へ組付けることも出来る。
【００２５】
【発明の効果】
本件発明によれば、パネルの貼り付け作業が屋内作業として行なえるため、屋外へパネル貼り付け作業用足場を組む作業及びパネル貼り付け作業後に足場を取外す作業が不要となる。そのため、パネル貼り付け作業料金が極めて安価になるという効果がある。更に、これに伴って、パネル貼り付け作業が天候に左右されず、いつも予定通りに進行するという効果がある。
【００２６】
また、本件発明では、金属パネル端部を、固定ネジ等を使用することなく、弾性シール部材を介して互いに入れ子式状態で組立てるため、パネルの突合せ目や張り合わせ目更には固定手段のねじ込み穴の隙間から雨水が内部へ沁み込む危険が無く、また張り付け作業後に再度それらの突合せ目、張り合わせ目、更には固定手段のねじ込み穴等をシール材料によって封止するという手間も必要ない。
【００２７】
その上、ネジ等の固定手段は建築物フレームとの結合部以外には使用しないので、作業が容易であり、特別な防錆機能を有する高価な素材を調達する必要も無く、結果的に作業が容易になりまた作業経費も大幅に削減できるのである。
【００２８】
本発明の実施態様は、次の通りである。
１．外装用金属パネル組立体１８と、固着手段３２と、から成る側壁組立体１０を複数個建築物フレーム３２へ取付けて成る金属フラット外装パネルであって、
外装用金属パネル組立体１８が、複数の金属パネル１２，１４，１６等から構成されており、
固着手段３２が、回転組み付け手段２６と、係合取付け部材２８と、から構成されており、かつ該回転組み付け手段２６が複数の回転緊張部材２０，２２，２４等から形成されており、
各金属パネル１２、１４，１６等は、縦方向に長い金属面板４０により構成されており、該面板４０の１側縁には折込部Ａ４１がまたそこから所定距離（ｂ）だけ離れた他側縁には折込部Ｂ４５が形成され、他側縁の折込部Ｂ４５はその先端部に溝部５１を有しており、
各回転緊張部材２０、２２、２４等は、距離（ｂ）を有する最長縁部とそれより短い距離を有する側縁部から成り、更に、複数の爪部５９を有する折り曲げ部５８を有しており、
係合取付け部材２８がラチェット機能を備えた間隙７３を備えており、この間隙へ各回転緊張部材の爪部５９が摺動自在に嵌合可能となっており、
回転緊張部材を金属パネル上へ配置した後、固着手段を操作することにより、回転緊張部材が金属パネルの両側折込部を互いに両側へ向かって拡張し金属パネルの側縁部を隣接する金属パネルの方へ圧接緊張させることを特徴とする金属フラット外装パネル。
【００２９】
２．上記１において、前記金属パネルの折込部Ａ４１、折込部Ｂ４５が、折曲部４２、４６と、そこから半円形状に内側へ向かって加工された半円形部４３、４７と、更にそこから折曲部４２、４６と同一面上に伸びている末端部４４、４８と、を有しており、さらに一方の折込部Ｂ４５は前記末端部４８から外側に向かってほぼ直角に折り曲げられている外行部４９と、該外行部４９の末端部分から末端部４８と平行する方向へ向かって折り返されている折返部５０と、を有し、この末端部４８と、外行部４９と、折返部５０と、が溝部５１を提供しており、
外装用金属パネル組立体１８を形成するとき、一つの金属パネルの末端部がこのパネルに隣接する他の金属パネルの溝部へ嵌合し、かつ半円形部にはシール部材が配置されることを特徴とする上記１に記載の金属フラット外装パネル。
３．回転緊張部材は、金属パネル１２の内表面上に配置される面であって僅かに先太形状に形成されている平坦面５５と、該平坦部５５の周辺部からほぼ直角に立ち上がっている壁部５６と、当該壁部５６の一部から更に伸びている延長壁部５７と、該延長壁部５７の先端部から直角に折り曲げられて前記平坦部５５と平行に伸びている折り曲げ部５８と、該折り曲げ部５８に形成されている爪部５９と、を有しており、
係合取付け部材２８は、上下に伸びている垂直壁面６５と、該垂直壁面６５の一方縁部からほぼ直角に折り曲げられている第１折り曲げ部６６と、垂直壁面６５の他方縁部からは前記第１折り曲げ部６６と反対の方向に向かってほぼ直角に折り曲げられている第２折り曲げ部６８と、該第２折り曲げ部６８の端側縁から１８０度反対方向に向かって第２折り曲げ部６８上を折り戻されている第３折り曲げ部６９と、該第３折り曲げ部６９の端側縁からほぼ垂直方向に僅かに伸びている伸長部７０と、該伸長部７０の端側縁から前記第２折り曲げ部６８と同様の方向へ向かって前記第３折り曲げ部６９を覆うように伸びている第４折り曲げ部７１と、該第４折り曲げ部７１の端側縁から１８０度反対方向に向かってかつ第３折り曲げ部６９に面する方向にて折り返されている第５折り曲げ部であって第４折り曲げ部の折り曲げ量より少ない第５折り曲げ部７２と、を有し、第３折り曲げ部６９と第５折り曲げ部７２との間には、間隙７３が画定されており、更に垂直壁面６５の一方の端部には第１側壁面７４を、他方の端部には第２側壁面７５を有し、また、間隙７３には、回転緊張部材２０の折り曲げ部５８が摺動自在であるが離脱不能な状態で嵌入されている、
ことを特徴とする上記１又は２に記載の金属フラット外装パネル。
４．金属パネル１２の溝部を有していない折込部Ａ４１の末端部４４を、隣接する金属パネル１４の溝部５１を有する折込部Ｂ４５の当該溝部５１内に配置し、かつ両折込部Ａ４１、折込部Ｂ４５の半円形部４３、４７が形成する空間内へ伸縮性を有するシール部材５２を配置し、予め金属パネル１２、１４、１６等を所定の緩い嵌め合い状態に組合わせること、
係合取付け部材２８の間隙７３へ回転緊張部材２０、２２、２４等の折り曲げ部５８を、該折り曲げ部５８の爪部５９が第５折り曲げ部７２の縁部へ噛み合うまで嵌め込むこと、
各回転緊張部材２０、２２、２４等の最長縁部が、金属パネル１２、１４、１６等の長手方向軸線方向に対して斜めに交差する方向にてほぼ一直線をなすように、かつ個々の部材２０、２２、２４等がそれぞれのパネル１２、１４、１６等へ１個ずつ位置付けられるように係合取付け部材２８へ対する回転緊張部材の位置を摺動調整し、回転取付け手段２６と係合取付け部材２８とを、外装用金属パネル組立体１８の内表面上へ配置すること、
係合取付け部材２８が金属パネル組立体１８の長手方向に対して実質的に直交する位置に至るまで係合取付け部材２８の位置を調整すること、
の手順より成る金属フラット外装パネルの組立方法。
５．側壁組立体を組み立てる前に建築物の竪柱を建設すること、この竪柱へ建築物フレーム３０を取付けること、
当該フレーム３０へ金属パネル組立体１８の端部パネルを構成する金属パネルを固定すること、
金属パネル１２の溝部を有していない折込部Ａ４１の末端部４４を、隣接する金属パネル１４の溝部５１を有する折込部Ｂ４５の当該溝部５１内に配置し、かつ両折込部Ａ４１、折込部Ｂ４５の半円形部４３、４７が形成する空間内へ伸縮性を有するシール部材５２を配置し、予め金属パネル１２、１４、１６等を所定の緩い嵌め合い状態に組合わせること、
係合取付け部材２８の間隙７３へ回転緊張部材２０、２２、２４等の折り曲げ部５８を、該折り曲げ部５８の爪部５９が第５折り曲げ部７２の縁部へ噛み合うまで嵌め込むこと、
各回転緊張部材２０、２２、２４等の最長縁部が、金属パネル１２、１４、１６等の長手方向軸線方向に対して斜めに交差する方向にてほぼ一直線をなすように、かつ個々の部材２０、２２、２４等がそれぞれのパネル１２、１４、１６等へ１個ずつ位置付けられるように係合取付け部材２８へ対する回転緊張部材の位置を摺動調整し、回転取付け手段２６と係合取付け部材２８とを、外装用金属パネル組立体１８の内表面上へ配置すること、
係合取付け部材２８が金属パネル組立体１８の長手方向に対して実質的に直交する位置に至るまで係合取付け部材２８の位置を調整すること、
係合取付け部材２８の側壁面７４、７５を建築物フレーム３０へ対して固着すること、
の手順より成る金属フラット外装パネルを建物へ貼り付ける方法。
【図面の簡単な説明】
【図１】金属パネル組立体と固着手段とから成る本件発明を構成する側壁組立体の概略図である。
【図２】金属パネルの平面図である。
【図３】図２の線３−３断面を示す図である。
【図４】隣接する金属パネルを緩く嵌合した状態を示す図である。
【図５】隣接する金属パネルをシール部材を介して堅く嵌合した状態を示す図である。
【図６】回転緊張部材の平坦部分を示す図である。
【図７】図６に示す回転緊張部材の反対面を示す図である。
【図８】図７の線８−８断面を示す図である。
【図９】回転緊張部材の斜視図である。
【図１０】係合取付け部材の斜視図である。
【図１１】係合取付け部材の一部を省略した図１０と同様の斜視図である。
【図１２】回転組み付け手段を構成している回転緊張部材の爪部が係合取付け部材の間隙へ噛み合っている状態を示している図である。
【図１３】外装用金属パネル組立体を構成する互いに緩く嵌合している各金属パネルの内表面上へ夫々配置されている回転緊張部材の状態を示す図である。
【図１４】外装用金属パネル組立体を構成する互いに緩く嵌合している各金属パネルの内表面上へ夫々配置されている回転緊張部材及び係合取付け部材の状態を示す斜視図である。
【図１５】回転緊張部材の作動状態を示している図である。
【図１６】本件発明の側壁組立体を建築物フレームへ装着した状態を示す図である。
【符号の説明】
１０：側壁組立体                    １２、１４、１６：金属パネル
１８：外装用金属パネル組立体        ２０、２２、２４：回転緊張部材
２６：回転組み付け手段              ３０：建築物フレーム
３２：固着手段                      ４０：金属面板
４１：折込部Ａ                      ４２：折曲部
４３：半円形部                      ４４：末端部
４５：折込部Ｂ                      ４６：折曲部
４７：半円形部                      ４８：末端部
４９：外行部                        ５０：折返部
５１：溝部                          ５２：シール部材
５５：平坦面                        ５６：壁部
５７：延長壁部                      ５８：折り曲げ部
５９：爪部                          ６０：角部
６５：垂直壁面                      ６６：第１折り曲げ部
６７：折り返し部                    ６８：第２折り曲げ部
６９：第３折り曲げ部                ７０：伸長部
７１：第４折り曲げ部                ７２：第５折り曲げ部
７３：間隙                          ７４：第１側壁面
７５：第２側壁面                    ８０、８１：矢印
【図１】
2004162464.tif 000003
【図２】
2004162464.tif 000004
【図３】
2004162464.tif 000005
【図４】
2004162464.tif 000006
【図５】
2004162464.tif 000007
【図６】
2004162464.tif 000008
【図７】
2004162464.tif 000009
【図８】
2004162464.tif 000010
【図９】
2004162464.tif 000011
【図１０】
2004162464.tif 000012
【図１１】
2004162464.tif 000013
【図１２】
2004162464.tif 000014
【図１３】
2004162464.tif 000015
【図１４】
2004162464.tif 000016
【図１５】
2004162464.tif 000017
【図１６】
2004162464.tif 000018